(57)【要約】【課題】低コストで導入することができると共に遠隔操作が可能な遠隔監視システムを提供する。【解決手段】遠隔監視システム１は、照明装置１０と、ホームサーバ２０と、センターサーバ４０と、端末装置５０と、ホームサーバ２０から端末装置５０をセンターサーバ４０を介して接続するＩＳＰ３０とから構成されている。照明装置１０とホームサーバ２０とは、既設の電力線１１を通じて接続され、照明装置１０には、事象変化検出手段としての人体感知センサ１２と撮像手段としてのカメラ１３とが備えられている。人体感知センサ１２で検出された不法侵入者の画像は、カメラ１３で撮像され、制御ユニット１４から電力線１１を通じてホームサーバ２０に送られる。ホームサーバ２０は、適宜センターサーバ４０と接続し、端末装置５０に撮像した画像を送信する。照明装置１０に人体感知センサ１２とカメラ１３とが備えられ、電力線１１を介して通信をおこなうため、既存の設備を利用することができ、低コストで導入することができる。【選択図】　図１
2004013617.tif 000002
【特許請求の範囲】
【請求項１】
照明灯と、この照明灯の点灯制御を行う制御ユニットとを備えた照明装置であって、
監視空間の事象変化を検出する事象変化検出手段、及び前記監視空間を撮像する撮像手段が前記制御ユニットに取り付けられ、
前記制御ユニットは、電力線から電力を供給されて前記事象変化検出手段、前記撮像手段及び前記照明灯に電力を供給すると共に、少なくとも前記事象変化検出手段が前記監視空間の事象変化を検出した際に前記撮像手段が前記監視空間を撮像して得られた画像情報を前記電力線を介して送信する通信制御手段を備えたものである
ことを特徴とする照明装置。
【請求項２】
前記制御ユニットは、照明装置のオン／オフ用のスイッチを介して電力を供給される度に前記照明灯のオン／オフを制御する制御手段を備えたものであることを特徴とする請求項１記載の照明装置。
【請求項３】
前記制御ユニットの通信制御手段は、前記電力線を介して情報を受信する機能を有し、
前記制御ユニットの制御手段は、前記受信された情報に基づいて各部を制御するものである
ことを特徴とする請求項２記載の照明装置。
【請求項４】
請求項１〜３のいずれか１項に記載された照明装置と、
この照明装置と電力線を介して接続されるホームサーバと、
このホームサーバと通信回線を介して接続されると共に、画像情報の表示手段を備えた端末装置とを備え、
前記撮像装置が撮像して得られた画像情報は、前記ホームサーバを介して前記端末装置に伝送され前記表示手段に表示されるようにした
ことを特徴とする遠隔監視システム。
【請求項５】
前記ホームサーバと前記通信回線を介して接続されるセンターサーバを更に備え、
前記端末装置は、前記センターサーバを介して前記ホームサーバと接続される
ことを特徴とする請求項４記載の遠隔監視システム。
【請求項６】
前記照明装置と電力線との間に配置されて前記照明装置をオン／オフする常時オン型のスイッチを含むことを特徴とする請求項４又は５記載の遠隔監視システム。
【請求項７】
前記端末装置は、携帯電話、ＰＤＡ（Ｐｅｒｓｏｎａｌ　Ｄｉｇｉｔａｌ　Ａｓｓｉｓｔａｎｃｅ）及びノート型ＰＣ等の携帯情報端末であることを特徴とする請求項４〜６のいずれか１項記載の遠隔監視システム。
【発明の詳細な説明】
【０００１】
【発明の属する技術分野】
この発明は、屋内や屋外で使用される照明装置に関し、特に不法侵入者等が屋内等に侵入した場合にその侵入者等の画像を撮像して住人等に通報したり、遠方から屋内等の様子を監視したりすることができる照明装置及びそれを用いた遠隔監視システムに関する。
【０００２】
【従来の技術】
近年、メディアの発達と電子機器の発展等により、遠隔地での監視等が安価且つ容易に行うことができるようになった一方で、空き巣等の犯罪が増加し、家庭の安全が脅かされつつあるのも事実である。また、一人暮らしの高齢者が増加し、離れて暮らす家族が万が一のときを考え、プライバシーに関する問題をクリアしたうえで高齢者の生活を監視したいという要望も強くなっている。
【０００３】
このような現状の中、特に、屋内等に不法侵入者が侵入した場合に、住人等が速やかに対処することができるように提案されたセキュリティーシステムが知られている。このようなセキュリティーシステムは、例えば屋内に設置されたセンサで不法侵入者の存在を感知等した場合に、警備会社に通報したり、警報音を鳴らしたり、カメラ等の撮像装置で不法侵入者の画像を記録したりするものである。
【０００４】
【発明が解決しようとする課題】
しかしながら、このようなセキュリティーシステムでは、センサ等の装置を設置したり、配線工事を行ったりしなければ稼動することができないものであり、利用者にとって高コストになることがある。また、ペット等を感知等して誤作動を起こし、近隣の住人や警備会社等に多大な迷惑をかける場合もある。更に、撮像装置を備える場合に、遠方から屋内等の様子を確認したり、記録画像を確認したりしたいという要望もある。
【０００５】
この発明は、このような事情に鑑みてなされたもので、低コストで導入することができると共に遠隔操作が可能な照明装置及びそれを用いた遠隔監視システムを提供することを目的とする。
【０００６】
【課題を解決するための手段】
この発明に係る照明装置は、照明灯と、この照明灯の点灯制御を行う制御ユニットとを備えた照明装置であって、監視空間の事象変化を検出する事象変化検出手段、及び前記監視空間を撮像する撮像手段が前記制御ユニットに取り付けられ、前記制御ユニットは、電力線から電力を供給されて前記事象変化検出手段、前記撮像手段及び前記照明灯に電力を供給すると共に、少なくとも前記事象変化検出手段が前記監視空間の事象変化を検出した際に前記撮像手段が前記監視空間を撮像して得られた画像情報を前記電力線を介して送信する通信制御手段を備えたものであることを特徴とする。
【０００７】
この発明の照明装置によれば、照明装置に取り付けられた照明灯の点灯制御を行う制御ユニットに、事象変化検出手段と撮像手段とが取り付けられているため、照明装置を屋内等に設置するだけで監視空間の事象変化を検出し撮像することが可能となる。また、制御ユニットは、監視空間を撮像して得られた画像情報を電力線を介して送信する通信制御手段を備えるため、新たに配線工事等を行わずに画像情報の送信が可能となる。これにより、低コストで監視空間の監視を行うことができる。
【０００８】
この発明に係る遠隔監視システムは、上記照明装置と、この照明装置と電力線を介して接続されるホームサーバと、このホームサーバと通信回線を介して接続されると共に、画像情報の表示手段を備えた端末装置とを備え、前記撮像装置が撮像して得られた画像情報は、前記ホームサーバを介して前記端末装置に伝送され前記表示手段に表示されるようにしたことを特徴とする。
【０００９】
この発明の遠隔監視システムによれば、照明装置に事象変化検出手段及び撮像手段を備え、事象変化検出手段が監視空間の事象変化（例えば、不法侵入者等）を検出した場合に撮像手段が作動して監視空間の画像を撮像し、撮像した画像を照明装置から電力線を介してホームサーバに伝送し、一時保管すると共に、保管した画像をホームサーバから端末装置に転送して端末装置で確認することができると共に、端末装置からホームサーバを介して照明装置に制御信号を送信し、撮像手段や照明灯の制御を行うことが可能となる。事象変化検出手段や撮像手段が予め照明装置に備えられ、ホームサーバとの通信を電力線を介して行うため、遠隔監視システムを実現するための装置等の新規設置工事や専用通信回線等の配線工事が不要となる。これにより、低コストで遠隔監視システムを導入することが可能となる。また、遠方から端末装置を用いて照明装置を制御することができるので、任意に撮像手段を作動させて撮像された画像を確認したり、照明灯の点灯・消灯等の制御を行うことが可能となる。
【００１０】
なお、照明装置の制御ユニットは、照明装置のオン／オフ用のスイッチを介して電力を供給される度に照明灯のオン／オフを制御する制御手段を備えたものであることが好ましく、この場合、制御ユニットの通信制御手段は、電力線を介して情報を受信する機能を有し、制御ユニットの制御手段は、受信された情報に基づいて各部を制御するものであることが好ましい。
【００１１】
また、遠隔監視システムは、ホームサーバと通信回線を介して接続されるセンターサーバを更に備え、端末装置は、センターサーバを介してホームサーバと接続されることが好ましい。センターサーバを介することで、セキュリティー保護の強化を図ることができる。
【００１２】
また、照明装置と電力線との間に配置されて照明装置をオン／オフする常時オン型のスイッチを含むようにすると良い。こうすれば、スイッチオフ時以外は照明装置に電力が供給されるため、事象変化検出手段及び撮像手段に電力供給を続けることができる。
【００１３】
また、端末装置は、携帯電話、ＰＤＡ（Ｐｅｒｓｏｎａｌ　Ｄｉｇｉｔａｌ　Ａｓｓｉｓｔａｎｃｅ）及びノート型ＰＣ等の携帯情報端末であることが好ましい。
【００１４】
【発明の実施の形態】
以下、添付の図面を参照して、この発明の実施の形態を説明する。
図１は、この発明の一実施形態に係る遠隔監視システムの基本構成を示す構成図である。
遠隔監視システム１は、屋内や屋外（以下、「屋内等」と呼ぶ。）に設置される照明装置１０と、この照明装置１０と電力線１１を介して接続されるホームサーバ２０と、このホームサーバ２０と通信手段としてのインターネットサービスプロバイダ（以下、「ＩＳＰ」と呼ぶ。）３０等を介して接続されるセンターサーバ４０と、このセンターサーバ４０と同じくＩＳＰ３０等を介して接続される端末装置５０とから構成されている。
【００１５】
照明装置１０は、屋内等を照明する照明灯１９と、事象変化検出手段としての赤外線センサ等の人体感知センサ１２と、撮像手段としてのＣＣＤセンサ、ＣＭＯＳセンサ等のカメラ１３と、これら照明灯１９、人体感知センサ１２及びカメラ１３への電力供給を司ると共に照明装置１０全体を制御する制御ユニット１４とから構成されている。なお、制御ユニット１４は、この例では引掛けシーリングローゼット１５に内蔵されたものとし、人体感知センサ１２及びカメラ１３は、照明装置１０の笠部１６の縁部１６ａに直接取り付けられたものとする。一方、ホームサーバ２０は、その電源プラグ２１が埋込コンセント２２に接続され、電力線１１を介して照明装置１０と電気的に接続されたものである。なお、ホームサーバ２０は、新規ホームサーバ装置を導入しない場合は、例えば通常のパーソナルコンピュータに遠隔監視システム１の制御用ＯＳをインストールしたもので代用するようにしても良い。
【００１６】
照明装置１０は、例えばマンション等の住居やオフィス等の社屋の屋内や屋外の照明設置場所に設置され、ホームサーバ２０は、屋内の所定場所に設置されている。ホームサーバ２０は、電気通信回線等を通じて通信手段としてのＩＳＰ３０を介してセンターサーバ４０に接続されている。センターサーバ４０は、同様にＩＳＰ３０を介して携帯電話、ＰＤＡ及びノート型ＰＣ等の携帯情報端末を含む端末装置５０にも接続されている。
【００１７】
このように構成された遠隔監視システム１では、照明装置１０の人体感知センサ１２が侵入者１００の侵入を検出すると、カメラ１３が作動してその画像を撮像する。カメラ１３で撮像された画像は、制御ユニット１４内で画像処理され、画像データとして電力線１１を通じて埋込コンセント２２に接続された電源プラグ２１を介してホームサーバ２０に送信される。送信された画像データは、ホームサーバ２０内に一時的に保管されると共に、ホームサーバ２０は、保管した画像データを電気通信回線等を介して接続されたＩＳＰ３０経由でセンターサーバ４０に転送する。
【００１８】
こうして画像データを受信したセンターサーバ４０は、ＩＳＰ３０を介して端末装置５０に画像データを送信する。端末装置５０では、送信された画像データを端末装置のモニタ等で確認することができると共に、ＩＳＰ３０を介してセンターサーバ４０に照明装置１０の制御命令を送ることができる。例えば、端末装置５０から照明灯１９を消灯する命令を送った場合は、その制御信号はＩＳＰ３０を介してセンターサーバ４０に送信され、センターサーバ４０で該当するホームサーバ２０を適宜選択し、選択したホームサーバ２０にＩＳＰ３０を介して制御信号を送信する。制御信号を受信したホームサーバ２０は、電源プラグ２１及び埋込コンセント２２経由で電力線１１を通じてその制御信号を制御ユニット１４に送信する。制御ユニット１４は、受信した制御信号に基づき照明灯１９を消灯させる。
【００１９】
また、端末装置５０からカメラ１３で撮像する命令を送った場合は、上記と同様の経路で制御ユニット１４に制御信号が送信され、制御ユニット１４は受信した制御信号に基づきカメラ１３を作動させる。このように、この遠隔監視システム１では、端末装置５０側へ画像データを送信して侵入者の侵入等を通知するだけでなく、端末装置５０側から制御信号を送信して照明装置１０を制御することができる。なお、例えば人体感知センサ１２には、瞬間検知機能と遅延検知機能とが備えられているため、遠隔監視システム１のペット等による誤作動を防止することが可能である。
【００２０】
図２は、制御ユニット１４の内部構成を示すブロック図である。
制御ユニット１４は、カメラ１３により撮像された画像データを圧縮処理等する画像処理回路６１と、この画像処理回路６１で圧縮された画像データを一時記憶する画像メモリ６２と、ホームサーバ２０とセンターサーバ４０との間で画像データや制御信号の通信を行う通信制御回路６３と、照明灯１９や制御ユニット１４への電力供給を制御する電源回路６４と、これら画像処理回路６１、通信制御回路６３及び電源回路６４の制御を行う制御手段としてのＣＰＵ６５とを備えて構成されている。
【００２１】
カメラ１３で撮像された画像は、画像処理回路６１に入力されている。入力された画像は、画像処理回路６１でＷｅｂブラウザ閲覧形式の画像や携帯電話閲覧形式の画像等に適宜画像処理されると共に、送信される画像データとして圧縮が必要な場合は、圧縮処理が施される。なお、圧縮処理では、作業領域として画像メモリ６２等を使用して圧縮作業を行い、圧縮画像データを作成する。この圧縮画像データのデータ形式としては、ＪＰＥＧ（Ｊｏｉｎｔ　Ｐｈｏｔｏｇｒａｐｈｉｃ　Ｅｘｐｅｒｔｓ　Ｇｒｏｕｐ）等が考えられる。
【００２２】
人体感知センサ１２からの検出信号は、ＣＰＵ６５に入力されている。人体感知センサ１２で侵入者が検出されると、その検出信号は、ＣＰＵ６５に入力され、ＣＰＵ６５は、画像処理回路６１で画像処理された画像データをホームサーバ２０に送信すべく、通信制御回路６３を介してホームサーバ２０との通信を開始すると共に、照明灯１９のリレースイッチ６８を操作して照明灯１９を点灯・消灯したり照度を変更したりする。
【００２３】
また、ＣＰＵ６５は、通信制御回路６３を介して端末装置５０からの制御信号を受信した場合、各回路６１，６３，６４やリレースイッチ６８をその制御信号の内容に基づき制御する。なお、ＣＰＵ６５は、人体感知センサ１２からの検出信号に基づき瞬間検知機能及び遅延検知機能に基づく判断処理を行う。瞬間検知機能は、人体感知センサ１２からの検出信号に基づきＣＰＵ６５が瞬間的に反応するものであるが、遅延検知機能は、人体感知センサ１２からの検出信号をＣＰＵ６５が入力してから所定時間内における検出信号の有無等によりＣＰＵ６５が反応するものである。なお、ＣＰＵ６５は、これら瞬間検知機能と遅延検知機能との相違により、人体感知センサ１２からの検出信号を適宜判断して各回路６１，６３，６４やリレースイッチ６８を制御するため、遠隔監視システム１の誤作動が起こり難い構造となっている。また、例えば制御ユニット１４に明暗センサを内蔵するようにすると、照明装置１０の周囲が暗い場合に照明灯１９を自動点灯させることなどが可能になる。
【００２４】
なお、電源回路６４と電力線１１との間には、スイッチ１７が設けられている。スイッチ１７は、制御ユニット１４と電力線１１とを常時接続状態にし、人体感知センサ１２及びカメラ１３に常時電力を供給するために設けられ、ここでは常時ＯＮ状態で押圧時のみＯＦＦ状態になるスイッチのことを指す。但し、常時ＯＮ状態にならないスイッチを適用した場合は、遠隔監視システム１を稼動させる際にスイッチが常時ＯＮ状態となるように予めセッティングすれば良い。
【００２５】
ＣＰＵ６５は、このスイッチ１７を押圧することにより変化する電源回路６４への電力供給状態をモニタしてリレースイッチ６８を制御すると共に、遠隔監視システム１のセキュリティー状態の起動と解除とを行う。例えば、図３に示すように、ＣＰＵ６５は、スイッチ１７が予め設定された時間内で瞬間的にＯＦＦ状態になったことを検出すると（Ｓ１）、リレースイッチ６８がＯＦＦ状態であるか否かを判断し（Ｓ２）、ＯＦＦ状態である場合は照明灯１９を点灯状態に保持し（Ｓ３）、ＯＦＦ状態でない場合は照明灯１９を消灯状態に保持させる（Ｓ４）などの制御を行い、照明灯１９の点灯・消灯状態を変更させる。
【００２６】
また、ＣＰＵ６５は、スイッチ１７が予め設定された時間内で瞬間的且つ連続的にＯＦＦ状態になったことを検出すると、そのＯＦＦ状態の数をカウントし、カウントした数に合わせて照明灯１９の照度を変更させたり、遠隔監視システム１の起動を行ったりすることも可能である。更に、ＣＰＵ６５は、スイッチ１７が予め設定された時間以上にＯＦＦ状態であることを検出すると、遠隔監視システム１のセキュリティー状態を解除する。なお、スイッチ１７としては、屋内等に設置された既存のスイッチを適用することができるため、配線工事等が不要となり、遠隔監視システム１の導入コストを下げることができる。また、電源回路６４には、バックアップ電源が備えられ、停電等により電力線１１からの電力供給が停止した場合でも、所定時間遠隔監視システム１を稼動状態にしておくことができる。
【００２７】
このような制御ユニット１４を備えた照明装置１０から送信される画像データは、電力線１１を通じてホームサーバ２０に受信され一時保管される。この例では、制御ユニット１４を備えた照明装置１０とホームサーバ２０とを既設の電力線１１を使用して接続し、いわゆるＰＬＣ（Ｐｏｗｅｒ　Ｌｉｎｅ　Ｃｏｍｍｕｎｉｃａｔｉｏｎ：電力線通信）により画像データや制御信号の送受信を行うため、遠隔監視システム１を導入する際のコストを下げることができる。こうしてホームサーバ２０に保管された画像データは、ＩＳＰ３０を介してセンターサーバ４０に送信され、センターサーバ４０において保存される。
【００２８】
これらホームサーバ２０及びセンターサーバ４０は、図４に示すように、照明装置１０から送信された画像データ及び撮像日時等のステータス情報を記録する画像データベース（以下、「画像ＤＢ」と呼ぶ。）２３，４１と、端末装置５０から送信された制御信号（以下、「ユーザ制御データ」と呼ぶ。）を記録するユーザ制御データ記録装置２４，４２とを備えており、適宜ＩＳＰ３０を介して画像データ等はホームサーバ２０からセンターサーバ４０へ、ユーザ制御データはセンターサーバ４０からホームサーバ２０へと双方向にこれらの情報の送受信を行う。この際に用いられるファイル送受信方式としては、ＦＴＰ（Ｆｉｌｅ　Ｔｒａｎｓｆｅｒ　Ｐｒｏｔｏｃｏｌ）等が最適である。なお、画像ＤＢ２３，４１には、設定により所定時間毎に撮像した画像データ等を蓄積しておくことができるため、端末装置５０において後から特定の画像データのみを確認することなども可能である。
【００２９】
以下に、このように構成された遠隔監視システム１の動作について、図５及び図６に示すフローチャートを用いて説明する。
居住者が外出するために遠隔監視システム１を稼動させる場合は、図５に示すように、まず、ホームサーバ２０をＯＮ状態にし（Ｓ１０）、端末装置５０を携帯して、スイッチ１７を瞬間的且つ連続的に所定回数押圧して遠隔監視システム１を稼動させる。制御ユニット１４のＣＰＵ６５は、スイッチ１７のＯＦＦ状態の回数を検出し、居住者が外出するまでの所定時間内は人体感知センサ１２からの検出信号を無視して誤作動を防止する。
【００３０】
こうして起動された遠隔監視システム１の照明装置１０において、人体感知センサ１２が監視空間内において事象の変化を検出すると（Ｓ１１）、ＣＰＵ６５は、不法侵入者であるか否かを判断し、不法侵入者でない場合は待機状態を維持する。一方、不法侵入者である場合は、カメラ１３を作動させ（Ｓ１２）、不法侵入者を撮像する。この際、照明灯１９を点灯させて、撮像する画像をより明確なものとしたり、不法侵入者に威嚇を与えたりするようにしても良い。こうして撮像された画像は、画像処理回路６１により、例えば圧縮された画像データに変換され、通信制御回路６３により電力線１１を通じてホームサーバ２０へ送信される（Ｓ１３）。
【００３１】
画像データを受信したホームサーバ２０は、画像ＤＢ２３に画像データ及びステータス情報を記録すると共に、ＩＳＰ３０への接続を確立し（Ｓ１４）、更にセンターサーバ４０への接続要求を送信してセンターサーバ４０との接続を確立する（Ｓ１５）。センターサーバ４０との接続を確立したら、認証を行い、ホームサーバ２０からセンターサーバ４０へ画像データ及びステータス情報（以下、「画像データ等」と呼ぶ。）を送信する（Ｓ１６）。なお、認証方式としては、基本認証を使用することができる。この例では、ホームサーバ２０と端末装置５０とをＩＳＰ３０を介するのみで接続せずに、これらホームサーバ２０と端末装置５０との間にセンターサーバ４０を介入させているが、これらサーバ２０，４０及び端末装置５０で送受信される画像データ等には暗号化処理が施されているため、セキュリティーの安全性は確保されている。
【００３２】
画像データ等を受信したセンターサーバ４０は、受信した画像データ等を画像ＤＢ４１に記録して蓄積すると共に、ＩＳＰ３０を介して端末装置５０への接続を確立する（Ｓ１７）。こうして、端末装置５０との接続が確立されたら、センターサーバ４０は、画像データ等を端末装置５０に送信する（Ｓ１８）。画像データ等を受信した端末装置５０においては、カメラ１３により撮像された画像及びステータス情報を確認することができる（Ｓ１９）。
【００３３】
このように、この遠隔監視システム１を稼動させておけば、外出している居住者は、外出先においても自動的に撮像された画像データを端末装置５０で確認することができ、適切な対処を講じることが可能となる。また、照明装置１０を玄関先などに設置すれば、留守中の来客等の画像をその都度記録することができるため、帰宅後や外出先でその画像を確認することが可能となる。
【００３４】
また、居住者が外出先から屋内等の様子を確認する場合は、図６に示すように、まず、外出時にホームサーバ２０をＯＮ状態にし（Ｓ２０）、端末装置５０を携帯して上述したように遠隔監視システム１を稼動させた後に外出する。そして、外出先において端末装置５０からＩＳＰ３０を介してセンターサーバ４０への接続を確立する（Ｓ２１）。センターサーバ４０への接続が確立したら、端末装置５０において、例えばカメラ１３を作動させる制御命令を実行する。これにより、端末装置５０からカメラ１３を作動させるユーザ制御データがセンターサーバ４０に送信される（Ｓ２２）。
【００３５】
ユーザ制御データを受信したセンターサーバ４０は、ユーザ制御データ記録装置４２に受信したユーザ制御データを記録して蓄積すると共に、ＩＳＰ３０への接続を確立し（Ｓ２３）、更にホームサーバ２０への接続要求を送信してホームサーバ２０との接続を確立する（Ｓ２４）。ホームサーバ２０との接続を確立したら、上述したように認証を行い、センターサーバ４０からホームサーバ２０へユーザ制御データを送信する（Ｓ２５）。ユーザ制御データを受信したホームサーバ２０は、受信したユーザ制御データをユーザ制御データ記録装置２４に記録し、電力線１１を通じて照明装置１０の制御ユニット１４に制御信号を送信する。
【００３６】
ホームサーバ２０からの制御信号を受信した制御ユニット１４のＣＰＵ６５は、カメラ１３を作動させ、撮像を開始する（Ｓ２６）。こうして撮像された画像は、上記ステップＳ１３と同様に画像処理回路６１及び通信制御回路６３を介してホームサーバ２０へ送信される（Ｓ２７）。画像データを受信したホームサーバ２０は、上記ステップＳ１４と同様に画像ＤＢ２３に画像データ等を一時保管してＩＳＰ３０への接続を確立する（Ｓ２８）。そして、センターサーバ４０との接続を確立し（Ｓ２９）、画像データ等をセンターサーバ４０へ送信する（Ｓ３０）。センターサーバ４０は、上記ステップＳ１７と同様に、受信した画像データ等を画像ＤＢ４１に記録して蓄積し、ＩＳＰ３０を介して端末装置５０への接続を確立した後（Ｓ３１）、端末装置５０に画像データ等を送信する（Ｓ３２）。こうして画像データ等を受信した端末装置５０において、撮像された屋内の画像を確認することができる（Ｓ３３）。
【００３７】
このように、この遠隔監視システム１によれば、不法侵入者が屋内等に侵入した場合のみならず、任意に外出先からでも屋内等の様子を即座に確認することができるため、より確実な遠隔監視システムを実現することができる。また、この例の遠隔監視システム１では、既存の設備を使用して遠隔監視システムを導入することができるため、低コストで遠隔監視システムを実現することが可能となる。また、この遠隔監視システム１では、上述したような動作のみならず、例えばホームサーバ２０、センターサーバ４０及び端末装置５０等の設定を変更することにより、適宜撮像した画像を証拠として保管すると共に印刷して出力したり、警察や警備会社に自動的に通報したりする動作も行うことができる。更に、この例では通信手段としてＩＳＰ３０を用いて説明したが、例えばＬＡＮ等を用いて遠隔監視システム１を実現するようにしても良い。
【００３８】
【発明の効果】
以上述べたように、この発明の照明装置によれば、照明装置に取り付けられた照明灯の点灯制御を行う制御ユニットに、事象変化検出手段と撮像手段とが取り付けられているため、照明装置を屋内等に設置するだけで監視空間の事象変化を検出し撮像することが可能となる。また、制御ユニットは、監視空間を撮像して得られた画像情報を電力線を介して送信する通信制御手段を備えるため、新たに配線工事等を行わずに画像情報の送信が可能となる。これにより、低コストで監視空間の監視を行うことができる。
【００３９】
また、この発明の遠隔監視システムによれば、照明装置に事象変化検出手段及び撮像手段を備え、事象変化検出手段が監視空間の事象変化（例えば、不法侵入者等）を検出した場合に撮像手段が作動して監視空間の画像を撮像し、撮像した画像を照明装置から電力線を介してホームサーバに伝送し、一時保管すると共に、保管した画像をホームサーバから端末装置に転送して端末装置で確認することができると共に、端末装置からホームサーバを介して照明装置に制御信号を送信し、撮像手段や照明灯の制御を行うことが可能となる。事象変化検出手段や撮像手段が予め照明装置に備えられ、ホームサーバとの通信を電力線を介して行うため、遠隔監視システムを実現するための装置等の新規設置工事や専用通信回線等の配線工事が不要となる。これにより、低コストで遠隔監視システムを導入することが可能となる。また、遠方から端末装置を用いて照明装置を制御することができるので、任意に撮像手段を作動させて撮像された画像を確認したり、照明灯の点灯・消灯等の制御を行うことが可能となる。
【図面の簡単な説明】
【図１】この発明の一実施形態に係る遠隔監視システムの基本構成を示す構成図である。
【図２】同遠隔監視システムの照明装置の制御ユニットの内部構成を示すブロック図である。
【図３】同制御ユニットのＣＰＵによるスイッチＯＮ／ＯＦＦの判断処理を示すフローチャートである。
【図４】同遠隔監視システムのホームサーバ及びセンターサーバの内部を示すブロック図である。
【図５】同遠隔監視システムの動作を示すフローチャートである。
【図６】同遠隔監視システムの動作を示すフローチャートである。
【符号の説明】１…遠隔監視システム、１０…照明装置、１１…電力線、１２…人体感知センサ、１３…カメラ、１４…制御ユニット、１５…引掛けシーリングローゼット、１６…笠部、１６ａ…縁部、１７…スイッチ、１９…照明灯、２０…ホームサーバ、２１…電源プラグ、２２…埋込コンセント、２３，４１…画像ＤＢ、２４，４２…ユーザ制御データ記録装置、３０…ＩＳＰ、４０…センターサーバ、５０…端末装置、６１…画像処理回路、６２…画像メモリ、６３…通信制御回路、６４…電源回路、６５…ＣＰＵ、６８…リレースイッチ。
【図１】
2004013617.tif 000003
【図２】
2004013617.tif 000004
【図３】
2004013617.tif 000005
【図４】
2004013617.tif 000006
【図５】
2004013617.tif 000007
【図６】
2004013617.tif 000008